(57)【特許請求の範囲】
【請求項１】
液吸収能力を有する本体部の表面の中央部に、少なくとも縦方向の前後端部が前記本体部の表面に支持された肌当接部材が設けられており、
前記肌当接部材は、液透過性の基材と、前記基材の表面に設けられた連続フィラメントの束とを有し、
前記連続フィラメントの束は、トウから開繊され、縦方向に延びる繊維が横方向に均一に広げられて前記縦方向に間隔を開けた複数の接合部において前記基材と接合されて、前記接合部と接合部との間で、表面側に隆起する前記連続フィラメントの複数のループ部が形成されており、
前記肌当接部材には前記縦方向に沿う弾性収縮力が作用しており、前記弾性収縮力によって、吸収性物品が縦方向に湾曲し、かつ前記肌当接部材が表面シートから離れて位置することを特徴とする吸収性物品。
【請求項２】
前記縦方向に並ぶ個々のループ部が互いに独立しているとともに、前記横方向に隣接する前記ループ部も互いに独立している請求項１記載の吸収性物品。
【請求項３】
前記横方向において、前記接合部が異なる位置に形成されて、前記隣接する前記ループ部が互いに独立して形成されている請求項２記載の吸収性物品。
【請求項４】
前記ループ部は縦方向へ列を成して規則的に並んでおり、かつ前記隣接するループ部どうしは、その頂部が縦方向に半ピッチ分位置ずれしている請求項３に記載の吸収性物品。
【請求項５】
前記肌当接部材は、前記基材の下に親水性材料層を有している請求項１ないし４のいずれかに記載の吸収性物品。
【請求項６】
前記弾性収縮力により前記基材が収縮して接合部と接合部との距離が縮まって、前記連続フィラメントのループ部が形成されている請求項１ないし５のいずれかに記載の吸収性物品。
【請求項７】
前記基材には、前記繊維の延びる方向に沿って弾性収縮部材が取付けられており、この弾性収縮部材により前記基材に弾性収縮力が与えられている請求項６記載の吸収性物品。
【請求項８】
前記基材自体が、前記繊維の延びる方向に沿う弾性収縮力を発揮する素材で形成されている請求項６記載の吸収性物品。
【請求項９】
前記肌当接部材の前後端部の全域において、前記基材が前記本体部に接合されている請求項１ないし８のいずれかに記載の吸収性物品。
【請求項１０】
前記基材の両側縁部が前記本体の表面に固定されている請求項９記載の吸収性物品。
【請求項１１】
前記肌当接部材の少なくとも一部では、前記両側縁部の固定部間の間隔が、前記肌当接部材の幅寸法よりも短い請求項１０記載の吸収性物品。
【請求項１２】
前記基材表面から前記ループ部までの高さが３〜１０ｍｍであり、前記ループ部のみを前記基材の方向へ３ｍｍ押し込んだときの反発圧力が１５ｇ／ｃｍ2（１．４７ｋＰａ）以下である請求項１ないし１１のいずれかに記載の吸収性物品。
【請求項１３】
前記連続フィラメントは、繊維径が１０〜５０μｍである請求項１ないし１２のいずれかに記載の吸収性物品。
【請求項１４】
前記連続フィラメントは、１インチ長さ当りの捲縮数が１０〜３５個である請求項１ないし１３のいずれかに記載の吸収性物品。
【請求項１５】
前記本体の下面から前記ループ部の上端までの厚さ寸法の最大値が１０〜５０ｍｍである請求項１ないし１４のいずれかに記載の吸収性物品。
【発明の詳細な説明】
【０００１】
【発明の属する技術分野】
本発明は、液吸収能力を有する本体部の上に、前記本体部に対して動くことができる肌当接部材が設けられた吸収性物品に関する。
【０００２】
【従来の技術ならびにその課題】
生理用ナプキン、使い捨てオムツなどの吸収性物品は、吸収層の裏面側に液不透過性の裏面シートが重ねられ、表面側に液透過性の表面材が重ねられている。また、生理用ナプキンは、前記裏面シートの外面に感圧粘着剤が設けられ、前記感圧粘着剤を介して前記裏面シートを下着のクロッチ部の内面に固着させて使用しているのが一般的である。
【０００３】
前記生理用ナプキンでは、下着に固着させたときに受液側表面と膣口との間を密着させることが、経血の横漏れを無くすために重要な要素となる。
【０００４】
例えば、従来の生理用ナプキンでは、吸収層の中央部を厚く形成し、あるいは中央部を囲む領域で吸収層を圧縮して、前記圧縮部で囲まれた吸収層に表面側への膨らみを持たせ、中央部分を膣口に密着させやすくしている。
【０００５】
しかし、生理用ナプキンは、前記のように裏面シートの外面を下着に固着させて使用するのが一般的であるため、装着者の身体に対する下着の緊迫力が弱くて、下着のクロッチ部が位置ずれすると、生理用ナプキンも一緒に位置ずれし、前記受液側表面の中央部が膣口から位置ずれしやすくなる。また、前記のように吸収層に圧縮部を形成すると、吸収層の剛性が高くなって、装着者に剛性による抵抗感を与えることになり、装着感触が悪くなる。
【０００６】
また、特開平１１−１０４１６８号公報等には、吸収層を有する生理用ナプキンの本体部の表面側に、前記表面と離れて挙動する独立層が設けられたものが開示されている。この生理用ナプキンは、前記独立層の前後端部と本体部の表面との間が、糸状など弾性収縮部材を介して連結され、本体部に対して前記独立層が自由度を有するように弾性的に吊られた状態となっている。
【０００７】
この生理用ナプキンは、本体部の裏面を下着のクロッチ部の内面に固着させて装着したときに、主に前記独立層が膣口に密着する。前記本体部に対して前記独立層が自由度を有しているため、下着のクロッチ部が身体に対して位置ずれしても、前記独立層が膣口から離れにくくなり、経血が前記独立層に受け止められる状態となる。これにより経血の横漏れを防止しようとしている。
【０００８】
しかし、前記独立層を有する生理用ナプキンは、前記独立層を吊っている弾性部材の弾性力によって前記独立層を膣口に密着させようとしているため、複雑な凹凸形状を有する膣口および陰唇部位の全域に独立層の表面を隙間無く密着させることが難しい。また、前記弾性部材の張力が直接に膣口および陰唇部位に作用しやすく、装着者に抵抗感を与えることになり、装着感においても充分に改善されたものといえない。
【０００９】
また、このような問題は生理用ナプキン以外の吸収性物品においても、同様に生じる。例えば、使い捨ておむつや女性用の失禁パッドにおいても、パッド内に尿を確実に導くためには、パッド表面を排泄部に充分に密着させることが必要である。しかし従来の製品は、体型に追従して柔軟に排泄部に密着させる構造のものが存在していなかった。
【００１０】
本発明は上記従来の課題を解決するものであり、液を受ける肌当接部材が身体の排泄部に密着し、製品の本体部が動いても、前記排泄部との密着を維持しやすい吸収性物品を提供することを目的としている。
【００１１】
【課題を解決するための手段】
本発明の吸収性物品は、液吸収能力を有する本体部の表面の中央部に、少なくとも縦方向の前後端部が前記本体部の表面に支持された肌当接部材が設けられており、
前記肌当接部材は、液透過性の基材と、前記基材の表面に設けられた連続フィラメントの束とを有し、
前記連続フィラメントの束は、トウから開繊され、縦方向に延びる繊維が横方向に均一に広げられて前記縦方向に間隔を開けた複数の接合部において前記基材と接合されて、前記接合部と接合部との間で、表面側に隆起する前記連続フィラメントの複数のループ部が形成されており、
前記肌当接部材には前記縦方向に沿う弾性収縮力が作用しており、前記弾性収縮力によって、吸収性物品が縦方向に湾曲し、かつ前記肌当接部材が表面シートから離れて位置することを特徴とするものである。
【００１２】
本発明の吸収性物品では、基本的な構造として本体部と、身体の排泄部に密着する肌当接部を有して、本体部と肌当接部材が独立して動くことができるようにしている。その結果、身体に対して本体部が動いても、前記肌当接部材と排泄部との密着を維持できるようになる。しかも前記肌当接部材の表面では、連続フィラメントで形成された複数のループ部が設けられているため、肌への接触感触が柔らかくなる。
【００１３】
また、前記連続フィラメントの延びる方向に並ぶ個々のループ部が互いに独立しているとともに、前記連続フィラメントの延びる方向と直交する方向に隣接する前記ループ部も互いに独立していることが好ましい。例えば、前記連続フィラメントの延びる方向と直交する方向において、前記接合部が異なる位置に形成されて、前記隣接する前記ループ部が互いに独立して形成されているものとなる。
【００１４】
上記のように多数のループ部が互いに独立して動くことができるため、個々のループ部が排泄部の微妙な凹凸形状に追従でき、排泄部の全域に肌当接部を均一に密着させやすくなる。
【００１５】
また身体の排泄部に対しては個々のループ部が弾性を有して密着するため、肌当接部の密着圧力が排泄部の各部位に分散されて作用することになり、装着者の皮膚に過大な装着抵抗感を与えることがなく、装着感触も良好になる。
【００１６】
また、前記肌当接部材は、前記基材の下に親水性材料層を有しているものであってもよい。
【００１７】
肌当接部に親水性材料層が設けられていると、排泄部から出た体液が前記親水性材料層に吸収され、さらに体液が前記親水性材料層を経て本体部に伝わるようになる。よって、排泄される液が多い場合であっても、本体部に誘導して本体部で保持しやすくなり、液の横漏れが生じにくくなる。
【００１８】
また、前記肌当接部材の前記基材には、前記連続フィラメントの延びる方向に沿う弾性収縮力が作用しており、この弾性収縮力により前記基材が収縮して接合部と接合部との距離が縮まって、前記連続フィラメントのループ部が形成されているものとして構成できる。
【００１９】
また、前記基材には、前記連続フィラメントの延びる方向に沿って弾性収縮部材が取付けられており、この弾性収縮部材により前記基材に弾性収縮力が与えられているものであってもよい。この場合に、前記基材自体が、前記連続フィラメントの延びる方向に沿う弾性収縮力を発揮する素材で形成されているものであってもよい。あるいは、前記基材が加熱されて収縮されたものであり、この収縮過程において接合部と接合部との距離が縮まって前記連続フィラメントのループ部が形成されるものであってもよい。
【００２０】
前記のように、前記基材が連続フィラメントの延びる方向に沿って収縮していると、基材に連続フィラメントを接合して、前記基材に縮みを与えるという簡単な工程で、連続フィラメントのループ部を形成できるようになる。
【００２１】
また、前記肌当接部材の前後端部の全域において、前記基材が前記本体部に接合されている構造であってもよい。
【００２２】
肌当接部材の弾性収縮力が本体部に作用しているので、この弾性収縮力により本体が湾曲し、前記肌当接部材が本体から離れて浮き上がるようになる。よって肌当接部材が身体に密着しやすくなる。
【００２３】
さらに、前記基材の縦方向に延びる両側縁部が前記本体の表面に固定されているものであってもよい。
【００２４】
この構造では、肌当接部材が本体の受液側に膨らみを有して位置するため、肌当接部材が圧縮方向への復元力を発揮しやすくなり、本体部に対して肌当接部材をずらす力が作用したときに、肌当接部材が元の状態に復元しやすくなる。
【００２５】
この場合に、前記肌当接部材の少なくとも一部で、前記両側縁部の固定部間の間隔が、前記肌当接部材の幅寸法よりも短い構造であると、肌当接部が本体部と独立して本体部に対する横方向へ動きやすく、また動いた後に復元しやすくなる。
【００２６】
前記基材表面から前記ループ部までの高さが３〜１０ｍｍであり、前記ループ部のみを前記基材の方向へ３ｍｍ押し込んだときの反発圧力が１５ｇ／ｃｍ2（１．４７ｋＰａ）以下であることが好ましい。
【００２７】
このようにループ部を形成すると、ループ部が肌に密着したときにループ部が倒れにくくなり、さらにループ部が肌へ過剰な圧力を与えることがなくなる。
【００２８】
さらに、前記連続フィラメントは、繊維径が１０〜５０μｍであることが好ましく、また１インチ長さ当りの捲縮数が１０〜３５個であることが好ましい。
【００２９】
連続フィラメントの繊維径および捲縮数を前記のように設定すると、弾性力および復元性を有するループ部を形成することができる。
【００３０】
さらに、前記本体の下面から前記ループ部の上端までの厚さ寸法の最大値が１０〜５０ｍｍであることが好ましい。
【００３１】
この高さ寸法であると、本体を下着などに設置した状態で、ループ部を有する肌当接部材が身体の排泄部に密着しやすくなり、また肌当接部材が弛んだり皺を形成する状態になりにくい。
【００３２】
【発明の実施の形態】
図１は本発明の吸収性物品の一実施の形態として生理用ナプキンを示す斜視図、図２は前記図１のＩＩ−ＩＩ線の横断面図、図３は前記図１のＩＩＩ−ＩＩＩ線の縦断面図、図４は、肌当接部材の表面に設けられた連続フィラメントの束で形成された表面層を拡大して示した斜視図である。また、図５ないし図７は、前記肌当接部を形成する積層構造体の形成過程を示すものであり、図５は液透過性の基材シートの表面に連続フィラメントの束を重ねて接合した状態を示す拡大断面図、図６は前記基材と連続フィラメントとの接合部のパターンの一例を示す平面図、図７は連続フィラメントで複数のループ部が形成された状態を示す拡大断面図である。
【００３３】
図１ないし図３に示す生理用ナプキン１は、液吸収能力および液保持能力を有する本体部２と、この本体部２の表面の中央部に設けられた肌当接部２０とを有している。前記本体部２は、縦方向（Ｙ方向）に延びる両側縁２ａ，２ｂと、横方向（Ｘ方向）に延びる前縁２ｃおよび後縁２ｄを有している。前記肌当接部２０は、平面形状がほぼ砂時計型であり、縦方向（Ｙ方向）に延びる両側部２０ａ，２０ｂ、および前端部２０ｃと後端部２０ｄを有している。
【００３４】
図２と図３の断面図に示すように、前記本体部２は、液不透過性の裏面シート３と、その上に設置された吸収層４と、前記吸収層４の上に重ねられた液透過性の表面シート５とを有している。前記裏面シート３の外面には、下着のクロッチ部の内面に固着するための感圧粘着層６が設けられている。生理用ナプキン１が使用される前の段階では、前記感圧粘着層６の表面が離型シートで覆われている。
【００３５】
前記裏面シート３は、液不透過性で且つ透湿性の樹脂フィルム、または不織布、あるいは前記樹脂フィルムと前記不織布との積層体などで形成されている。前記表面シート５は液透過性であり、親水性繊維または親水処理された合成繊維で形成された不織布または開孔不織布などである。または、前記表面シート５が、多数の開孔が形成されたポリオレフィン系の樹脂フィルムであり、表面が親水処理されたものであってもよい。前記吸収層４は、粉砕パルプとＳＡＰ（高吸収性ポリマー）とが混合されたもので、さらに液透過性の紙で包まれたもの、またはバインダー処理でシート化されたエアレイドパルプ、または吸収紙、あるいは親水性繊維を主体とした不織布などである。
【００３６】
前記裏面シート３および表面シート５の大きさは、本体部２の全体の大きさと一致している。また前記吸収層４は、前記裏面シート３および表面シート５よりも一回り小さい形状である。前記吸収層４が設けられている領域が液吸収領域７である。前記吸収層４の両側縁と、本体部２の両側縁２ａ，２ｂとの間に、前記裏面シート３と表面シート５とがホットメルト接着剤で接着された側部フラップ８ａ，８ｂが形成されている。また吸収層４の前縁および後縁と、本体部の前縁２ｃおよび後縁２ｄとの間に、前記裏面シート３と前記表面シート５とがホットメルト接着剤で接合された前部フラップ９ａと後部フラップ９ｂが形成されている。
【００３７】
前記側部フラップ８ａ，８ｂでは、前記裏面シート３と前記表面シート５との間に、縦方向（Ｙ方向）に延びる弾性収縮部材１１が設けられている。この弾性収縮部材１１は、それぞれの側部フラップ８ａ，８ｂに複数本ずつ設けられており、縦方向（Ｙ方向）へ所定長延ばされた状態で前記裏面シート３と表面シート５に接着されている。前記弾性収縮部材１１は、ポリウレタン弾性糸、糸ゴム、ＳＥＢＳなどを含む弾性フィルムシートまたはメルトブローン法によって連続繊維で形成された弾性収縮性不織布から帯状に切断されたものなどである。
【００３８】
図２と図３に示すように、前記本体部２の表面の中央部に設けられた肌当接部材２０は、液透過性の基材シート２１を有しており、この基材シート２１の少なくとも肌当接側の表面に、それぞれがばらばらの連続フィラメントの集合体である連続フィラメントの束で形成された表面層２５が設けられている。図２では、前記表面層２５が、肌当接部材２０の上面にのみ設けられた状態で図示されているが、前記表面層２５が、基材シート２１の表面の全域に形成されていてもよい。
【００３９】
図１ないし図３に示す肌当接部材２０の表面の前記表面層２５は、連続フィラメントの束３１で形成されている。なお、この表面層２５は、基材シート２１の両側縁部２１ａ，２１ｂに至るまでその表面の全域に設けられていてもよい。
【００４０】
前記表面層２５を形成する連続フィラメントは、縦方向（Ｙ方向）へ連続して延びているものであり、例えばＴＯＷと称される捲縮した連続フィラメントの収束体から開繊されたものである。図４に示すように、前記連続フィラメントの束３１と前記基材シート２１は、複数箇所に設けられた接合部３２によって接合されている。そして、前記接合部３２と接合部３２の間に、前記連続フィラメントが基材シート２１の表面から立ち上がるループ部３３が形成されている。
【００４１】
このループ部３３は、その頂部３３ａが前記基材シート２１の表面から高さｈだけ離れるように立ち上がっている。図４に示すように、ループ部３３は、縦方向（Ｙ方向）へ列を成して規則的に並んでおり、また横方向（Ｘ方向）に隣接するループ部３３どうしでは、その頂部３３ａがＹ方向へ半ピッチ分だけ位置ずれしている。その結果、縦方向と横方向の双方に配列する複数のループ部３３は、互いに独立して変形できるようになっている。
【００４２】
前記基材シート２１の下面には、縦方向に延びる弾性収縮部材２６および親水性材料層２７が接合されている。
【００４３】
前記弾性収縮部材２６は、横方向に間隔を開けて互いに平行に延びるように複数本設けられており、それぞれの弾性収縮部材２６は縦方向へ１．２〜３倍に伸ばされた状態で、前記基材シート２１と親水性材料層２７に挟まれ、前記基材シート２１と弾性収縮部材２６と親水性材料層２７とが互いに接着されている。
【００４４】
図２では、前記親水性材料層２７が、肌当接部材２０の中央部分において基材シート２１の下面に接合されている状態が示されているが、この親水性材料層２７が、基材シート２１と同じ面積を有して、前記基材シート２１の裏面の全域に渡って接合されていてもよい。
【００４５】
肌当接部材２０は、前記基材シート２１、表面層２５、弾性収縮部材２６および親水性材料層２７が積層された積層構造体３０により形成されている。この積層構造体３０の形成方法は、まず図５に示すように、基材シート２１の表面に連続フィラメントの束３１を積層する。このときＴＯＷから開繊された互いにばらばらの連続フィラメントを横方向に均一に広げて、基材シート２１の表面の各部位において連続フィラメントの目付けならびに嵩が均一になるように配置する。
【００４６】
基材シート２１の表面に均一な嵩の連続フィラメントの束３１が積層された状態で、前記基材シート２１と連続フィラメントの束３１を接合部３２により部分的に接合する。図６はこのときの接合部３２の配列パターンを示している。接合部３２は幅Ｂが０．３〜３ｍｍの接合線であり、接合部３２の長さＷ０は３〜１０ｍｍである。接合部３２は、連続フィラメントの延びる方向と直交する方向へ延び、複数本の連続フィラメントを横断するように形成される。また接合部３２は、縦方向へピッチＰが２〜２０ｍｍとなるように、等間隔に、または場所によってピッチを変えて配置されている。
【００４７】
前記接合部３２は、縦方向に前記ピッチＰで配列された列を成し、隣りの列どうしでは、前記接合部３２が縦方向へＰ／２だけ位置ずれして配列している。
【００４８】
前記基材シート２１と連続フィラメントの束３１を接合した後に、基材シート２１の下面に複数の弾性収縮部材２６が、縦方向へ１．２〜３倍伸ばされた状態で接合され、さらにその下に親水性材料層２７が接着される。このときの接着は、弾性収縮部材２６を縦方向に伸ばして保持した状態で行われる。また、基材シート２１の下面に、液透過に支障のないように、ホットメルト型接着剤が、スパイラル状、ストライプ状、または点在状などのパターンに塗工され、この接着剤によって基材シート２１の下面に弾性収縮部材２６と親水性材料層２７が接着される。
【００４９】
その後に、前記弾性収縮部材２６の伸びが解除されると、前記弾性収縮部材２６から、基材シート２１および親水性材料層２７に縦方向に沿う弾性収縮力が与えられ、基材シート２１および親水性材料層２７が縦方向に収縮する。このとき接合部３２と接合部３２との距離が縦方向に沿って縮まり、図４に示すように、接合部３２と接合部３２の間に位置する連続フィラメントの束３１が、基材シート２１から離れるように隆起してループ部３３が形成される。接合部３２が図６に示すパターンで配列しているため、図４に示すように個々の独立したループ部３３が多数形成される。
【００５０】
また、前記のように、基材シート２１と共に親水性材料層２７が一緒に縦方向に沿って収縮させられていると、例えば、親水性材料層が吸収紙などの薄い素材で形成されている場合に、縦方向へ収縮した状態で実質的な嵩を厚くでき、液体の吸収保持能力を向上させることができる。
【００５１】
前記のように形成された、基材シート２１、ループ部３３を有する表面層２５、弾性収縮部材２６および親水性材料層２７が一体とされた積層構造体３０により、図１に示す前記肌当接部材２０が形成される。
【００５２】
図１に示すように、肌当接部材２０の前端部２０ｃおよび後端部２０ｄは、凸湾曲形状であるが、この前端部２０ｃと後端部２０ｄの全域において、前記積層構造体３０の基材シート２１が、前記本体部２の表面シート５に接合される。このとき、前記積層構造体３０は、図５に示すようにループ部が解消されるまで縦方向へ伸ばされ、その状態で図３に示す固定部２４ａと２４ｂにおいて、基材シート２１が表面シート５にホットメルト型接着剤により接着され、または熱融着されて接合される。
【００５３】
前記接合の後に前記積層構造体３０に与えられていた縦方向への伸びが解除されると、前記弾性収縮部材２６の弾性収縮力によって、基材シート２１と親水性材料層２７が縦方向に収縮させられ、連続フィラメントの束３１によって前記ループ部が形成される。さらに、肌当接部材２０と本体部２との固定部２４ａおよび固定部２４ｂに、前記弾性収縮部材２６の弾性収縮力が作用し、本体部２の表面において前記固定部２４ａと２４ｂが互いに引かれる。よって、図３に示すように本体部２は、裏面シート３側が凸側となるように湾曲させられる。この湾曲状態になることで、前記肌当接部材２０の表面が、本体部２の表面シート５から離れて位置するようになる。
【００５４】
また、図１に示すように、側部フラップ８ａ，８ｂに設けられた弾性収縮部材１１によって、前記側部フラップ８ａ，８ｂにも縦方向に沿う弾性収縮力が作用する。したがって、生理用ナプキン１は、外力が与えられていない自由状態において、肌当接部材２０が設けられている中央部が下方へ沈むような、全体が凹湾曲形状となる。
【００５５】
なお、図３では、生理用ナプキン１に外力が与えられていない自由状態における、前記固定部２４ａと固定部２４ｂとの縦方向の距離をＬ２で示している。また図１では、肌当接部材２０の前端部２０ｃと後端部２０ｄとの距離をＬ１で示している。
【００５６】
図２に示すように、肌当接部材２０では、前記基材シート２１の左右両側縁部２１ａと２１ｂが、前記肌当接部材２０の両側部２０ａ，２０ｂよりも中心側へ入り込んだ位置にあり、この位置において、前記基材シート２１の両側縁部２１ａ，２１ｂと、前記表面シート５とが、固定部２３ａ，２３ｂにより接合されている。前記基材シート２１の両側縁部２１ａ，２１ｂ、および前記固定部２３ａ，２３ｂは、生理用ナプキン１を縦方向に二分する中心線（ＩＩ−ＩＩ線）上で、横方向の対向間隔が最も近くなり、前方と後方へ向うにしたがってその対向間隔が徐々に広がるような砂時計パターンとなっている（図１参照）。
【００５７】
すなわち、図２に示す前記中心線（ＩＩ−ＩＩ線）での断面において、前記肌当接部２０の側部２０ａと側部２０ｂとの対向間隔をＷ１、前記固定部２３ａと固定部２３ｂとの対向間隔をＷ２としたときに、Ｗ１＞Ｗ２である。そして前方と後方に向うにしたがって、前記対向間隔Ｗ２が前記対向間隔Ｗ１に近づくように、前記固定部２３ａ，２３ｂは凹曲線形状のパターンとなるように形成されている。
【００５８】
このように構成すると、基材シート２１が表面シート５から離れる方向へ膨らみを有しやすくなって、肌当接部材２０の表面を本体部２の表面シート５から長い距離だけ離すことができるようになる。また本体部２に対して肌当接部材２０が横方向（Ｘ方向）へ動く自由移動範囲を広げることができる。
【００５９】
この生理用ナプキン１は、裏面シート３の外面に設けられた感圧粘着層６が下着のクロッチ部の内面に固着された状態で装着される。前記肌当接部２０の表面のループ部３３を有する表面層２５が陰唇および膣口に当てられるが、前記弾性収縮部材２６の収縮作用により、肌当接部２０が本体部２から離れる方向へ押上げられているため、前記肌当接部２０の表面が陰唇および膣口に確実に密着する。
【００６０】
また、下着のクロッチ部が横ずれし、本体部２が一緒に横方向へ動いたときに、肌当接部２０が本体部２に対して横方向への自由度を有しているため、肌当接部２０が膣口から簡単に動くことがなく、肌当接部２０と膣口との密着を維持しやすい。
【００６１】
肌当接部２０の表面層２５では、連続フィラメントで形成された複数のループ部３３が、互いに独立して変形し且つ独立して動くように設けられているため、肌当接部２０の表面層２５の各部位が、陰唇および膣口の複雑な凹凸形状に応じて変形し、各ループ部３３の連続フィラメントが、陰唇などに隙間を生じることなく気密性を有して密着できるようになる。よって本体部２が横方向などに動いても、肌当接部２０と膣口との密着状態を維持することができる。
【００６２】
さらに、前記肌当接部２０では、基材シート２１の下面に弾性収縮部材２６が貼着されているが、前記ループ部３３が、軟らかな弾性収縮変形を生じながら陰唇などに当たっているため、前記弾性収縮部材２６の張力が直接に皮膚に抵抗感を与えにくくなり、装着感触が良好になる。すなわち、肌当接部２０の密着圧力は、複数のループ部３１のそれぞれに分散されて与えられ、個々のループ部３３の収縮変形により前記圧力を緩衝できるようになり、皮膚へ局部的な抵抗感を与えにくくなる。
【００６３】
膣口から排出された経血は、ループ部３３の連続フィラメントから基材シート２１に導かれるが、個々のループ部３３が経血を三次元的に導いて分散させるとともに、隣接する他のループ部３３がその過剰な分散を防止するように機能する。よって、経血が、肌当接部２０の表面に局部的に集中することがなく、しかも過剰に分散することもなく、経血は肌当接部２０の基材シート２１の各部位を均一に透過するようになる。
【００６４】
また、基材シート２１の下面には親水性材料層２７が設けられているため、この親水性材料層２７の毛細管作用により、基材シート２１の表面に与えられた経血が親水性材料層２７に引き込まれるようになる。よって基材シート２１の表面の液残りが生じにくい。また前記親水性材料層２７は、液を吸収して保持する能力を有しているが、この親水性材料層２７で吸収しきれない経血は、親水性材料層２７から本体部２の表面シート５に直接に与えられ、あるいは基材シート２１を伝わって表面シート５に与えられる。
【００６５】
したがって、経血は肌当接部２０が設けられている位置およびその周辺で、本体部２の吸収層４に捕捉されやすくなり、これによっても横漏れが生じにくくなる。
【００６６】
上記機能を発揮する生理用ナプキン１を形成するためには、基材シート２１の表面からのループ部３３の高さｈは、３〜１０ｍｍであることが好ましい。３ｍｍ未満であると、陰唇および膣口の凹凸形状に追従させてループ部３３を密着させることが困難であり、１０ｍｍを越えると、ループ部３３が弾性力を発揮できず、身体と密着したときにループ部３３が撚れたり倒れやすくなる。なお、前記図３に示すように生理用ナプキン１に外力が作用していない自由状態において、接合部３２と接合部３２とのピッチに対して、前記高さｈが、０．５〜２倍の範囲が好ましい。
【００６７】
また、前記ループ部３３のみを基材シート２１に向けて深さ３ｍｍまで押し込んだときの反発圧力が１５ｇ／ｃｍ2（１．４７ｋＰａ）以下であることが好ましい。前記を越えると、ループ部３３が皮膚へ圧迫感を与え陰唇などの皮膚を押し返すようになって装着時に違和感を感じやすくなる。
【００６８】
また、図３に示す外力が作用していない自由状態において、縦方向を二分する中心での、本体２の外面（感圧粘着層６の外面）からループ部３３の頂部３３ａまでの高さＨが１０〜５０ｍｍであることが好ましい。
【００６９】
前記未満であると、本体部２を下着に固着して装着したときに、肌当接部材２０が、経血の排出部である膣口に確実に密着できなくなる。また前記範囲を超えると、本体部２に対する肌当接部材２０の自由度が大きくなりすぎ、装着したときに肌当接部材２０が横方向へ過剰に倒れたり、肌当接部材２０に捩じれなどが生じやすくなって、肌当接部材２０が陰唇や膣口に密着しにくくなる。
【００７０】
また、前記肌当接部２０の弾性収縮部材２６が固定部２４ａと２４ｂに与える弾性収縮力も適度なものであることが必要である。生理用ナプキン１の本体部２および肌当接部材２０を縦方向へほぼ平坦になるように伸ばしたときに、前記固定部２４ａと２４ｂに与えられる収縮弾性力は１．９６Ｎ（２００ｇｆ）以下であることが好ましい。前記を越えると、肌当接部材２０の陰唇などへの加圧力が大きくなりすぎ、装着時に抵抗感を感じやすい。
【００７１】
また、肌当接部２０の幅寸法Ｗ１は２０〜５０ｍｍの範囲が好ましく、図３に示す自由状態での、前記固定部２４ａと固定部２４ｂとの距離Ｌ２は、５０〜２００ｍｍであることが好ましい。前記範囲であると、肌当接部２０が膣口および陰唇に密着しやすくなる。
【００７２】
次に、肌当接部２０を構成する各部材について説明する。
前記基材シート２１は、液透過性であり、且つ表面シート５と前記連続フィラメントの束で形成された表面層２５と熱融着可能なもので熱可塑性合成樹脂の合成繊維を使用したものが好ましく、ポイントボンド、エアースルー、スパンボンド、エアレイド、スパンレースなどの不織布が好ましく使用される。この場合の繊維は、ＰＥ／ＰＰ、ＰＥ／ＰＥＴ、ＰＰ／ＰＰの芯鞘構造の複合合成繊維またはサイドバイサイド型の複合合成繊維が使用される。また前記合成繊維は親水油剤が塗布されたものを使用することが好ましい。あるいは、親水処理されていない前記合成繊維あるいは親水処理された前記合成繊維に、アセテートレーヨン、ビスコースレーヨン、コットン、パルプ繊維などのような、親水性の天然繊維または再生繊維が５〜３０質量％含まれたものであってもよい。
【００７３】
または前記基材シート２１は、熱可塑性合成樹脂で形成された多数の開孔を有するフィルム、あるいは開孔を有するフィルムと不織布とのラミネートシートで形成できる。開孔を形成した前記フィルムを使用する場合、個々の孔の径が０．５〜２．０ｍｍ、開孔率５〜６０％が好ましい。また酸化チタンなどの白色化無機フィラーを０．５〜１０質量％の範囲で含むものが好ましい。
【００７４】
前記基材シート２１は、目付けは２０〜４０ｇ／ｍ2であることが好ましい。特に、皮膚への接触感触を良好にするために、前記目付けの範囲で形成されたエアースルー不織布を使用することが好ましい。
【００７５】
また、前記基材シート２１に、不織布やフィルムに、縦方向に凹凸が繰り返すクレープ加工が施されたものを使用することができる。クレープ加工された基材シート２１を用いると、弾性収縮部材２６の弾性収縮力によって、基材シート２１が縦方向へ収縮しやすくなり、その結果、連続フィラメントによって均一な高さのループ部３３を作りやすくなる。
【００７６】
連続フィラメントの束３１を形成する連続フィラメントは、基材シート２１と熱融着可能な疎水性合成樹脂で形成され、例えばＰＥ／ＰＥＴ、ＰＥ／ＰＰなどの芯鞘構造の複合繊維、ＰＥ／ＰＥＴ、ＰＥ／ＰＰなどのサイドバイサイド型複合繊維、あるいはＰＥ、ＰＰ、ＰＥＴなどの単繊維である。これら合成樹脂で形成された連続フィラメントは、表面に親水剤が付着され、または親水剤が樹脂に練り込まれて親水処理されたものが好ましい。また連続フィラメントに酸化チタンなどの白色化のための無機フィラーが０．５〜１０質量％含まれているものが好ましい。白色化処理されることで、親水性材料層２７および吸収層４に吸収された経血を外観上で隠蔽しやすくなる。また連続フィラメントの繊維断面は、丸型であっても異形状であってもよい。
【００７７】
また前記合成樹脂の連続フィラメントの束３１に、レーヨンやセルロースアセテート繊維などの親水性繊維が、５〜３０質量％の範囲となるように積層されているもの、または天然セルロース繊維などの単繊維が前記束３１の連続フィラメントに接着剤などで固着されているものであってもよい。
【００７８】
また連続フィラメントとして、紡糸ノズルから溶融樹脂を押し出し、冷却エアサクションの延伸作用により糸状に形成したスパンボンド繊維であってもよい。この繊維を積層コンベア上に積層して捕集することで、連続フィラメントの束３１を形成することができる。
【００８０】
また、ループ部３３を形成する連続フィラメントが圧縮変形した後に元の状態に回復できるためには、フィラメント径が１０〜５０μｍであることが好ましく、繊度は１．１〜８．８ｄｔｅｘであることが好ましい。前記範囲未満であるとループ部３３が弾性復元性に劣るものとなり、前記範囲を超えると、フィラメントが皮膚へ剛直感を与えることになる。
【００８１】
また、前記連続フィラメントとして捲縮されているものを使用することが好ましい。捲縮された連続フィラメントは、ループ部３３において個々のフィラメントに独立性が有りながらも、隣接するフィラメントどうしが適度に絡み合う。よってループ部３３のフィラメントに自由度が有り、しかも前記の弾性回復性に富むものとなる。
【００８２】
前記連続フィラメントの捲縮状態としては、１本のフィラメントの１インチ長さ当り、捲縮数が１０〜３０個の範囲であることが好ましい。また連続フィラメントの捲縮弾性率は７０％以上であることが好ましい。捲縮数が１０未満であると、ループ部３３に体圧が作用したときにへたりを生じやすく、前記３０を越えると、連続フィラメント間に経血が滞留しやすくなる。
【００８３】
前記捲縮数はＪＩＳＬ１０１５、捲縮弾性率はＪＩＳＬ１０７４に基づくものであり、繊度５．５ｄｔｅｘ未満のフィラメントの場合は、引張り方向へ０．４９ｍＮの初期荷重を与え、繊度５．５ｄｔｅｘ以上のフィラメントの場合は、引張り方向へ０．９８ｍＮの初期荷重を与える。前記捲縮数は、前記初期荷重を与えたときの１インチ（２５ｍｍ）長あたりの捲縮の山数である。
【００８４】
また、前記初期荷重を与えたときのフィラメントの長さをａ、さらに１．１ｄｔｅｘあたり４．９ｍＮの張力を３０秒間与えて捲縮を伸ばしたときの長さをｂ、前記張力を除去し２分間経過した後に、再度前記初期荷重を与えたときの長さをｃとしたとき、前記捲縮弾性率は｛（ｂ−ｃ）／（ｂ−ａ）｝×１００（％）で表される。
【００８５】
また、連続フィラメントの束３１の目付けは、２５〜２００ｇ／ｍ2が好ましく、さらに好ましくは５０〜１２０ｇ／ｍ2である。２５ｇ／ｍ2未満であると、ループ部３３の剛性が低下し、体圧によってループ部３３が潰れやすくなる。前記２００ｇ／ｍ2を越えると、ループ部３３の剛性が高くなり、装着者に抵抗感を与えるようになる。
【００８６】
前記弾性収縮部材２６は、例えば、ポリウレタン弾性糸、糸ゴム、ＳＥＢＳなどを含む弾性フィルムシートまたはメルトブローン法によって連続繊維で形成された弾性収縮性不織布から帯状に切断されたものなどで形成できる。
【００８７】
さらに、前記親水性材料層２７は、吸収紙、エアレイドパルプ、親水処理が施された繊維で形成されたエアースルー不織布、パルプやレーヨンなどの親水性繊維で形成されたスパンレース不織布などである。
【００８８】
また、前記実施の形態では、図５などに示すように、基材シート２１に、縦方向に伸ばされた弾性収縮部材２６が接合され、弾性収縮部材２６から基材シート２１に弾性収縮力が作用している。しかし、本発明では、前記弾性収縮部材２６を設けず、基材シート２１そのものが弾性伸縮性を有するものであってもよい。
【００８９】
弾性伸縮性の基材シート２１としては、合成ゴムを主成分としたスパンボンド不織布やメルトブローン不織布を使用することができる。さらに前記不織布に開孔処理を施したもの、合成ゴム系の樹脂フィルムに開孔処理を施したものが使用できる。開孔処理を施したものは、基材シート２１を縦方向へ伸ばしたときに開孔が縦方向へ伸びることで、伸長性を高め適度な弾性率を発揮できるようになる。
【００９２】
また、接合部３２の形成パターンは、図６に示すものに限られず、図８に示すように、Ｖ字形状の接合部３２ａを縦方向（Ｙ方向）へ所定のピッチＰで列を成すように形成し、隣接する列において接合部３２ａの配列位置をＰ／２ずらしてもよい。または、図９に示すように、連続フィラメントを横断する方向へジグザク状に延びる接合部３２ｂを形成してもよい。
【００９３】
図８と図９に示す接合部３２ａ，３２ｂを形成して、基材シート２１を縦方向へ収縮させれば、各接合部間に連続フィラメントのループ部を形成することができ、また各ループ部を互いに独立して変形できるように形成できる。
【００９４】
次に図１０と図１１は、本発明の吸収性物品の一例である生理用ナプキンのさらに他の実施の形態を示しているものであり、図２に相当する断面図である。
【００９５】
図１０に示す実施の形態の生理用ナプキン１Ａでは、裏面シート３、吸収層４、表面シート５で形成された本体部２の中央部に、断面がＴ字形状の立体構造部３５が形成されている。そして前記立体構造部３５の上部に肌当接部材２０Ａが設けられている。
【００９６】
前記肌当接部材２０Ａは、基材シート２１の表面に前記実施の形態と同様に、連続フィラメントの束３１によって複数のループ部３３が形成された表面層２５が設けられている。また基材シート２１の下面には縦方向に延びる複数の弾性収縮部材２６が接合されている。また肌当接部材２０Ａ内には、エアレイドパルプや折り畳まれた吸収紙などで形成された親水性材料層２７が設けられている。
【００９７】
前記基材シート２１は、前記肌当接部材２０Ａの下面側に折り込まれており、基材シート２１どうしが接合されて支持壁３６が形成されている。そしてこの支持壁３６の基部において、前記基材シート２１が、本体部２の表面シート５に接合されている。前記支持壁３６内には、縦方向に延びる複数の弾性収縮部材２６が設けられている。なお、前記支持壁３６内に、吸収紙などの親水性材料層が挟まれてもよい。
【００９８】
図１０に示すものでは、前記肌当接部材２０Ａの縦方向の前端部と後端部が、図３に示すように、固定部２４ａ，２４ｂにおいて表面シート５に接合されている。よって、前記弾性収縮部材２６の弾性収縮力によって本体部２が湾曲形状に変形し、肌当接部材２０Ａが表面シート５から離れる構造となる。
【００９９】
図１１に示す実施の形態の生理用ナプキン１Ｂでは、裏面シート３、吸収層４、表面シート５で形成された本体部２の中央部に、２つの立体構造部３７ａ、３７ｂが形成されている。そしてそれぞれの立体構造部３７ａ，３７ｂの上部に左右対称形状に分離して形成された肌当接部材２０Ｂ，２０Ｃが設けられている。
【０１００】
前記肌当接部材２０Ｂ，２０Ｃは、それぞれ基材シート２１の表面に、連続フィラメントの複数のループ部３３が形成された表面層２５を有している。また基材シート２１の下面には縦方向に延びる複数の弾性収縮部材２６が接合されている。また肌当接部材２０Ｂと２０Ｃ内には、エアレイドパルプや折り畳まれた吸収紙などで形成された親水性材料層２７がそれぞれ設けられている。
【０１０１】
前記基材シート２１は、前記肌当接部材２０Ｂと２０Ｃの下面側に折り込まれており、基材シート２１どうしが接合された支持壁３８ａ，３８ｂが形成されている。そして支持壁３８ａ，３８ｂの基部において、各基材シート２１が、本体部３の表面シート５に接合されている。この場合も、前記支持壁３８ａ，３８ｂ内に、吸収紙などの親水性材料層が挟まれていてもよい。
【０１０２】
また、前記肌当接部材２０Ｂ，２０Ｃの縦方向の前端部と後端部が、図３に示すように、固定部２４ａ，２４ｂにおいて表面シート５に接合されている。よって、前記弾性収縮部材２６の弾性収縮力によって本体部２が湾曲形状に変形し、肌当接部材２０Ｂ、２０Ｃが表面シート５から離れるように立ち上がる構造となる。
【０１０３】
図１０と図１１に示す生理用ナプキン１Ａ，１Ｂでは、立体構造部３５，３７ａ，３７ｂの上部に設けられた肌当接部材２０Ａ，２０Ｂ，２０Ｃが膣口および陰唇にループ部３３を介して密着する。感圧粘着層６によって下着に固着された本体部２が横方向へ動いても、前記立体構造部３５，３７ａ，３７ｂの変形によって、肌当接部材２０Ａ，２０Ｂ，２０Ｃが膣口や陰唇と離れることなく密着した状態を維持できる。また、前記実施の形態と同様に、ループ部３３を有する表面層が陰唇および膣口の凹凸変化に柔軟に追従して密着できるようになる。
【０１０４】
また図１０と図１１に示す実施の形態では、前記肌当接部２０Ａ，２０Ｂ，２０Ｃの縦方向の長さを３０〜１２０ｍｍ程度にして、肌当接部２０Ａ，２０Ｂ，２０Ｃを陰唇の間に挟み、陰唇の挟圧力によって保持するように使用することが可能である。この場合に、本体部２もやや小さ目とし、裏面シート３の外面の感圧粘着層６を設けないようにする。そして、陰唇の保持力で本体部２の位置を維持できるようにすることが可能である。
【０１０５】
なお、本発明は生理用ナプキンに限られず、失禁用パッド、使い捨ておむつにも実施可能である。例えば女性用失禁パッドに前記肌当接部材を設ければ、尿を確実に吸収層に導くことができる。また介護用の使い捨ておむつの肛門に対向する部分に前記肌当接部材を設ければ、軟便を確実に捕捉できるようになる。
【０１０６】
【実施例】
＜実施例＞
図１ないし図３に示す構造の生理用ナプキン１を以下の如く製造した。
【０１０７】
（１）肌当接部材２０の構成
（連続フィラメントの束３１）
ＴＯＷから開繊されたＰＥ／ＰＰの芯鞘型の複合合成繊維で、繊度が３．３ｄｔｅｘ、機械捲縮の捲縮量が１インチ長あたり２５個の連続フィラメントを使用した。連続フィラメントの束３１の目付けを５０ｇ／ｍ2に調整した。
【０１０８】
（基材シート２１）
芯がＰＰ、鞘がＰＥの芯鞘型複合繊維を使用し、繊度が２．２〜３．３ｄｔｅｘのものを混綿したウエッブで、目付け２５ｇ／ｍ2のエアースルー不織布を形成した。
【０１０９】
（弾性収縮部材２６）
繊度２３３ｄｔｅｘのポリウレタン弾性糸を使用した。この弾性糸を肌当接部材２０を用い、縦方向に１．５倍伸ばした状態で基材シート２１に接合した。弾性糸は１０ｍｍの間隔で平行に５本配置した。
【０１１０】
（親水性材料層２７）
目付け１５ｇ／ｍ2の吸収紙（ティッシュペーパ）を使用した。
【０１１１】
（接着剤）
ゴム系ホットメルトを、基材シート２１にスパイラル状に塗工して、弾性収縮部材２６と親水性材料層２７を接合した。接着剤の目付けを５ｇ／ｍ2とした。
【０１１２】
（接合部３２のパターン）
１２０〜１４０℃の熱エンボスにより接合部３２を形成した。図６に示すのと同じパターンであり、接合部３２の幅Ｂを１ｍｍ、長さＷ０を５ｍｍ、ピッチＰを１５ｍｍとした。
【０１１３】
（２）本体部２の構成
（表面シート５）
芯がＰＰ、鞘がＰＥの芯鞘型複合繊維を使用し、目付け２５ｇ／ｍ2の液透過性のエアースルー不織布を形成した。
【０１１４】
（吸収層４）
粉砕パルプに高分子吸収ポリマーを分散させた混合物で、パルプの目付け３００ｇ／ｍ2、ポリマーの目付けを２０ｇ／ｍ2とした。
【０１１５】
（裏面シート３）
ポリエチレンを主成分として、Ｔダイにより溶融押し出ししたフィルムで、坪量２５ｇ／ｍ2を用いた。
【０１１６】
（感圧粘着層６）
感圧型ホットメルトを、坪量３０ｇ／ｍ2となるように裏面シート３の外面に塗工した。
【０１１７】
（３）生理用ナプキン１の構造
基材シート２１の表面からのループ部３３の高さｈが５ｍｍ、図３に示す高さＨが３０ｍｍ、固定部間曲Ｌ２が１５０ｍｍであった。
【０１１８】
＜比較例１＞
図１２に示す生理用ナプキンを用いた。この比較例２は、前記実施例の生理用ナプキン１から肌当接部２０を取り外したものであり、且つ、吸収層４と表面シート５との間に、液透過層４５を配置したものである。
【０１１９】
前記液透過層４５として、芯がＰＰ、鞘がＰＥの芯鞘型複合繊維を使用し、目付け５０ｇ／ｍ2の液透過性のエアースルー不織布を使用した。
【０１２０】
裏面シート３、吸収層４および表面シート５は、実施例の本体部２と同じである。
【０１２１】
＜比較例２＞
実施例と同じ構造の生理用ナプキンにおいて、肌当接部材の表面の連続フィラメントの表面層２５が設けられていないものを作成した。
【０１２２】
＜評価＞
（１）身体との接触率の評価
（ａ）評価方法
人体模擬ドールの股間部位を絵の具で着色した後に、実施例、比較例１、比較例２の生理用ナプキンを感圧粘着剤層によりショーツに固着し、前記ドールに穿かせた。その後に、生理用ナプキンを取出し、ナプキン表面に転写された絵の具の付着部の面積を測定した。
【０１２３】
（ｂ）評価結果
評価結果は、（ナプキンに転写された絵の具付着部の面積／ナプキンの吸収層の面積）×１００（％）で求めた。
【０１２４】
評価結果は、「実施例」…９２％、「比較例１」…５８％、「比較例２」…７７％であった。
【０１２５】
（２）圧迫抵抗性の評価
（ａ）評価方法
生理用ナプキンの表面層２５の表面から垂直にＳＨＩＭＰＯ社のディジタルフォースゲージを当て、肌当接部材全体を５ｍｍ押し込んだときの数値を読み取った。なお、ディジタルフォースゲージの先端の端子は直径１０ｍｍのものを使用した。
【０１２６】
（ｂ）評価結果
「実施例」…１３ｇｆ（１２７．４ｍＮ）、「比較例１」…５５ｇｆ（５３９ｍＮ）、「比較例２」…３２ｇｆ（３１３．６ｍＮ）
【０１２７】
【発明の効果】
以上のように本発明の吸収性物品は、肌当接部が身体の排泄部に密着した状態で、本体が移動しても前記密着を維持できる。また肌当接部の表面の連続フィラメントのループ部が、排泄部の凹凸形状に追従するため、肌当接部と排泄部との間の接触の気密性を高めることができ、排泄液が他の部分に洩れるのを防止しやすい。また、身体の排泄部への圧迫感や抵抗感を与えることが少なく、装着感触が良好になる。
【図面の簡単な説明】
【図１】本発明の収性物品の実施の形態として生理用ナプキンを示す斜視図、
【図２】図１のＩＩ−ＩＩ線の横断面図、
【図３】図１のＩＩＩ−ＩＩＩ線の縦断面図、
【図４】肌当接部材の表面に設けられた表面層の拡大斜視図、
【図５】基材シートに連続フィラメントの束を積層して接合部を形成した状態を示す拡大断面図、
【図６】基材シートと連続フィラメントとの接合部の配列パターンを示す平面図、
【図７】連続フィラメントで複数のループ部が形成された状態を示す拡大断面図、
【図８】接合部のパターンの他の例を示す平面図、
【図９】接合部のパターンの他の例を示す平面図、
【図１０】他の実施の形態の生理用ナプキンを示す断面図、
【図１１】他の実施の形態の生理用ナプキンを示す断面図、
【図１２】比較例の生理用ナプキンの断面図、
【符号の説明】
１，１Ａ，１Ｂ  生理用ナプキン
２  本体部
３  裏面シート
４  吸収層
５  表面シート
６  感圧粘着層
７  吸収領域
８ａ，８ｂ  側部フラップ
９ａ，９ｂ  前後フラップ
１１  弾性収縮部材
２０，２０Ａ，２０Ｂ，２０Ｃ  肌当接部材
２１  基材シート
２３ａ，２３ｂ  固定部
２４ａ，２４ｂ  固定部
２５  表面層
２６  弾性収縮部材
２７  親水性素材層
３１  連続フィラメント
３２，３２ａ，３２ｂ  接合部
３３  ループ部
３３ａ  ループ部の頂部
【図１】
0004090703.tif 000002
【図２】
0004090703.tif 000003
【図３】
0004090703.tif 000004
【図４】
0004090703.tif 000005
【図５】
0004090703.tif 000006
【図６】
0004090703.tif 000007
【図７】
0004090703.tif 000008
【図８】
0004090703.tif 000009
【図９】
0004090703.tif 000010
【図１０】
0004090703.tif 000011
【図１１】
0004090703.tif 000012
【図１２】
0004090703.tif 000013